(57)【特許請求の範囲】
【請求項１】
溶着剤充填用の容器の側面に刷毛が支持され、該刷毛における柄部の内部に毛束を挟持する扁平筒状体の口部に通じた空洞部が形成され、該空洞部と前記容器とが連結管を介して連通し、前記柄部が長手方向の所要箇所で前記容器側にく字状に屈曲したことを特徴とする防水シート溶着用用具。
【請求項２】
前記扁平筒状体が前記柄部と着脱可能な態様で密嵌されたことを特徴とする請求項１に記載の防水シート溶着用用具。
【発明の詳細な説明】
【技術分野】
【０００１】
この発明は、屋上、ベランダ、プールなど建造物の屋上などに敷設される防水シートを溶着剤によって接合するために用いる防水シート溶着用用具に関する。
【背景技術】
【０００２】
屋上、ベランダ、プールなど構造物の躯体に合成樹脂製の防水シートを敷設して防水層を形成する場合、例えば表面が合成樹脂で被覆された合成樹脂被覆鋼鈑からなる平板状や断面Ｌ型などのシート接合片を躯体の所要箇所に固定して、その上に防水シートを敷設して、防水シートとシート接合片との所要部、および防水シートの側縁どうしを溶着剤によって接合することがなされている。その接合方法の一例としては、溶着剤を小分けにして入れた皿状の容器を携帯し、刷毛を用いて、毛束に溶着剤を付着させ、それを前記所要部または側縁どうしの隅間に差し入れ、押圧し、互いに密着させるものである。
【０００３】
しかし、このような刷毛と容器をそれぞれに携帯して行う方法は作業が煩雑であり、また容器が開放されているため溶着剤が蒸発しやすく、環境面および作業者の健康管理面においても問題がある。
【０００４】
そこで、この問題に対して、図６および図７に示すような、毛束１４の根本部分に管１３を差し込んで、その他端を溶着剤を充填するポリビン１６の口部に接続して、容器と刷毛を一体化した溶着用用具１０（特許文献１）が知られている。
【特許文献１】実開平０４−７０１６４
【発明の開示】
【発明が解決しようとする課題】
【０００５】
しかしながら、上記の溶着用用具１０は、毛束１４とポリビン１６とがストレートな管１３によって接続されているため、例えば、図６のような平場に敷設された防水シートＳ、Ｓの側縁どうしを接合する場合には、ポリビン１６を水平に近い角度まで傾ける必要が生じ、容器内部に充填されている溶着剤が減ってくると溶着剤が流出しにくくなる場合があった。
【０００６】
また、溶着用用具１０は、ポリビン１６を手で握り、それを押圧して、内部の溶着剤を流出させるものであるため、例えば、長尺の防水シートの側縁どうしを連続して接合するような場合には、ポンピング動作を繰り返して行わなければならず、押し加減によっては、流出の量に差が出て、塗布ムラを起こしやすかった。また、ポリビン１６は通常ポリエチレンなどの軟らかく、滑りやすい材質からなっているため、軍手などの手袋などをはめて作業する際には、作業性が悪かった。
【０００７】
他方、図７に示すように、平場と立ち上がり壁の入隅部分にＬ型のシート接合片Ｊが固定され、その立ち上がり壁に沿って上から防水シートＳが入隅付近まで延出して敷設され、その防水シートＳとシート接合片Ｊとの重なり部を溶着接合するような場合には、従来の溶着用用具１０では、管１３がストレートな形状であることから、毛束１４を重なり部に差し込むことが困難であり、作業ができない場合があった。
【０００８】
このような問題に対し、本発明は、屋上、ベランダ、プールなど構造物の躯体に敷設される防水シートを溶着接合するに際し、平場や立ち上がり壁などの場所を問わず、作業効率よく、塗布ムラも少なく、溶着することのできる防水シート溶着用用具を提供することにある。
【課題を解決するための手段】
【０００９】
上記課題に対して、発明者は、従来の溶着用用具において、ストレート状の管をく字状に屈曲させ、かつ管の先端に取り付けられた毛束の根元に連続して溶着剤を供給できるような構造とすることで上記の課題を解決できると考え、その達成可能な構造について鋭意実験を繰り返した結果、本発明をなすに至った。
【００１０】
すなわち、請求項１にかかる発明は、溶着剤充填用の容器の側面に刷毛が支持され、該刷毛における柄部の内部に毛束を挟持する扁平筒状体の口部に通じた空洞部が形成され、該空洞部と前記容器とが連結管を介して連通し、前記柄部が長手方向の所要箇所で容器側にく字状に屈曲したことを特徴とする防水シート溶着用用具を要旨とする。
【００１１】
また、請求項２にかかる発明は、前記扁平筒状体が前記柄部と着脱可能な態様で密嵌されたことを特徴とする請求項１に記載の防水シート溶着用用具を要旨とする。
【発明の効果】
【００１２】
本発明によれば、溶着剤充填用の容器の側面に刷毛が支持され、かつ刷毛における柄部を容器側にく字状に屈曲させたため、平場に敷設された防水シートに対しては、毛束を挿入した際に、容器を高い位置に配置させることができ、したがって、そこに充填された溶着剤は重力により毛束まで自然に流れ込み、毛束からは溶着剤が連続的に滲出することとなって、溶着作業性を向上させることができる。
【００１３】
また、柄部の内部に空洞部を設けたために、容器を押し過ぎた場合でも、溶着剤が空洞部に一旦貯溜されてから毛束から流出することとなるため、塗布ムラを減少させることができるといった効果がある。
【００１４】
また、立ち上がり壁の入隅付近まで延出されて敷設された防水シートに対しては、柄部が長手方向の所要箇所で容器側にく字状に屈曲したことにより、毛束が防水シートの垂直方向の隙間にも挿入できることとなり、従来困難であった溶着作業を可能にすることができる。
【００１５】
さらに、溶着剤充填用の容器の側面には刷毛が支持されているため、刷毛における柄部を握って作業することができ、作業性がよい。
【００１６】
また、本発明によれば、刷毛における毛束を挟持する扁平筒状体と柄部の先端部とは、着脱可能な態様で密嵌されたことが好ましい。こうすることで、消耗品である刷毛を交換することができ、経済性に優れたものとなる。
【発明を実施するための最良の形態】
【００１７】
図１は、本発明にかかる溶着用用具１を示した斜視図であり、図２は、その断面図および正面図である。（ａが断面図、ｂが正面図）
【００１８】
本発明にかかる溶着用用具１は、刷毛２が溶剤充填用の容器６の側面に支持材７によって支持されたものである。ここでいう刷毛２とは柄部３とその先端に取り付けられた毛束４とで構成されたものである。
【００１９】
柄部３は、金属の空洞体からなり、長手方向の所要箇所で容器６側にく字状に屈曲している。柄部３の内部には図２（ａ）に示すように空洞部３ａが形成され、空洞部３ａの一端は、毛束４を挟持する扁平筒状体４ａの口部に通じている。柄部３における先端部３ｂと扁平筒状体４ａとは密嵌状態で接続されている。扁平筒状体４ａは毛束４の根元に金属板を巻いて、釘によって固定されたものである。
【００２０】
柄部３の空洞部３ａにおける別の一端からは、空洞部３ａから容器６側に向けて、管部３ｃが延出しており、それと容器６の栓部６ａから延出した管６ｃとが接続されて、連結管５を形成している。この連結管５によって容器６の内部と空洞部３ａとが連通した状態となっている。
【００２１】
容器６は、ポリエチレン製の可撓性容器（ポリビン）であり、その胴部６ｂを押圧することによって、内部に充填された溶着剤を管６ｃから流出させるものである。
【００２２】
支持材７はループ状の針金からなるもので、容器６の胴部６ｂおよび栓部６ａの２箇所に巻き付けてあり、その端末が刷毛２の柄部３と溶接されている。ここで、栓部６ａに巻き付けられた上部支持材７ａは締着状態、胴部６ｂに巻き付けられた下部支持材７ｂは遊着状態となっている。このような状態とすることで、容器６の胴部６ｂを回転自在にし、胴部６ｂの着脱を可能としている。
【００２３】
本発明においては、刷毛２における柄部３が、長手方向の所要箇所で容器６側にく字状に屈曲していることに特徴がある。このような形状とすることで、平場に敷設された防水シートに対しては、毛束４を挿入した際に、容器６を高い位置に配置させることができ、これより重力により溶着剤の流れを良好にすることができ、溶着作業性を向上させることができる。また立ち上がり壁に沿って入隅付近まで延出して敷設された防水シートに対しては、従来挿入が困難であった重なり部にも、毛束４を挿入することができ、溶着を可能にすることができる。
【００２４】
その屈曲角度θは、６０°〜８５°であるのが好ましい。６０°未満では、平場に敷設された防水シートに対して溶着する際に、容器６を水平近くまで寝かせる必要が生じ、内部に充填されている溶着剤が減ってくると流出しにくくなるなど作業性を害す。また、立ち上がり壁に入隅付近にまで延出して敷設された防水シートに対しては、柄部がストレートに近いため、毛束４を防水シートと立ち上がり壁の隅間に差し込むことができない場合がある。一方、８５°超過では、逆に平場に敷設された防水シートを溶着接合する際、柄部３の先端部３ｂが水平を超えて防水シートを突き上げやすくなり、作業性の点から好ましくない。
【００２５】
柄部３の屈曲される所要箇所、つまり折り曲げ支点については、設計上可能であればとくに制限を受けることはないが、好ましくは、管部３ｃと扁平筒状体４ａの間の任意箇所である。なお、本発明におけるく字状とは、例えば湾曲状、Ｕ字状も含むものである。
【００２６】
本発明においては、容器６の側面に刷毛２が支持される必要がある。支持されることで、刷毛２と容器６とが一体化したものとなり、溶着作業を行わないときには、容器６の底面を下側にして立てて置き、また溶着作業時には、柄部３を握って作業することができて、好都合である。また、柄部３を握ることで、軍手などの手袋を着用したような場合でも滑ることが少なく、作業性に優れる。
【００２７】
支持材７は、ループ状の針金からなるものが好適なものの一例としてあげられるが、それに限らず、支持が可能なものであればその素材、形状に対して制限はない。
【００２８】
本発明においては、柄部３の内部に空洞部３ａが形成され、その空洞部３ａと容器６とは連結管５を介して連通している必要がある。このような構造をとることで、容器６内に充填された溶着剤が、連結管５、空洞部３ａを通じて、毛束４の先端まで連続して流出可能なものとなる。このとき、空洞部３ａは、緩衝的役割を果たすものと考えられる。すなわち、容器６を押し過ぎたときでも、そこに溶着剤が一旦貯溜され、空洞部３ａの空気圧が増大することによって、圧力が溶着剤を毛束４に少しづつ押し出すことができるというわけである。空洞部３ａの容積についてはとくに制限はなく、溶剤の流れが妨げられないほどであれば問題ない。空洞部３ａの形状についてもとくに制限はなく、図１、および図２においては、柄部３の内部の根元まで拡張されたものを例示したが、このように拡張することに問題はない
【００２９】
柄部３を構成する材料は、ステンレス、ブリキ、真鍮などの金属からなるのが好ましい。金属を採用することにより、内部に空洞を設けた際でも、また、く字状に屈曲成形した際でも十分な剛性が確保でき、耐久性にも優れたものとなるためである。しかし、ここで適用される材質は金属に限定されるわけではなく、例えば量産する必要があれば、インジェクション成形などが可能なポリエチレンなどの合成樹脂が採用されることも可能である。
【００３０】
本発明においては、柄部３における先端部３ｂが毛束４における扁平筒状体４ａと着脱可能な態様で密嵌されることが好ましい。もちろん、柄部３の先端部３ｂと毛束４における扁平筒状体４ａを溶接して固定してしまうこともできるが、例えば、図３に示すように、先端部３ｂと扁平筒状体４ａの噛み合わせ部分にそれぞれ複数の突起部ｔを設けて嵌合可能なようにしておき、それらを噛み合わせた後、その隅間にシーリング材８を埋め込むなどの方法を採用することで着脱可能なものとなり好ましい。このような構造とすることで、消耗品である毛束４を交換することができ、経済性に優れたものとなる。
【００３１】
このときシーリング材８は、例えば塩化ビニル系樹脂にテトラヒドロフラン（ＴＨＦ）などの溶剤を溶解させて混合した樹脂組成物が採用されるのがより好ましい。このような樹脂組成物からなるシーリング材８を使用することで、溶着作業時にはシーリング材８が溶着剤を吸収して膨潤することで先端部３ｂと扁平筒状体４ａとの十分な密封性を保つことができるとともに、非作業時には溶剤成分が揮散してシーリング材８が収縮することで扁平筒状体４ａの抜脱を容易とし、より着脱作業性に優れるからである。
【００３２】
なお、扁平筒状体４ａの内側における毛束４根元の端末には溶着剤の流出を調製するため、例えば木材に複数の細孔が設けられた流量調製部材４ｂが取り付けられてもよい。
【００３３】
つぎに本発明における溶着用用具１を用いた溶着作業方法の実施態様について図４および図５を参照にして説明する。
【００３４】
図４においては、略水平な平場に防水シートＳ、Ｓが側縁で重ねて敷設され、それらの側縁どうしが溶着接合される態様を示したものである。
【００３５】
まず、溶着するに当たり、本発明における溶着用用具１における容器６の底部を斜め上方まで傾けて、毛束４を略水平な防水シートＳ、Ｓどうしの隙間に差し入れる。その状態で、一旦容器６を押して、空洞部３ａに溶着剤を流し出す。そうすれば、容器６が高位置にあることにより、溶着剤が連結管５、空洞部３ａを通じ、毛束４の先端から自然に滲出してくることとなる。そして、この状態で、防水シートＳ、Ｓどうしの隙間を移動していくことにより、溶着剤が連続的に防水シートＳ上を塗布し、効率よく、塗布ムラなく溶着することができる。
【００３６】
つぎに、立ち上がり壁の入隅上部付近に敷設された防水シートを溶着する方法について図５に基づいて説明する。図５においては、平場と立ち上がり壁の入隅部分にＬ型のシート接合片Ｊが固定され、その立ち上がり壁に沿って防水シートＳが入隅付近まで延出して敷設された状態を示したものである。
【００３７】
まず、図４に示した方法と同じように、溶着用用具１の容器６の底部を斜め上方まで傾けて、容器６を一旦押すことで、溶着剤を毛束４まで滲出させる。つぎに、図５に示すように、溶着用用具１を容器６の底部が略水平となるまで傾きを戻して、次いでその毛束４をシート接合片Ｊ上に押し付け、さらに上方に押し上げるようにして、防水シートＳとシート接合片Ｊの隙間に挿入する。挿入した後、今度は容器６を押圧し、毛束４から溶着剤を流出させる。このようにすれば、従来、柄部がストレートな溶着用用具では困難だった入隅付近の立ち上がり箇所においても 防水シートＳの溶着が可能なものとなる。また、ポンピング動作を行うことで、長尺の側縁に対しても、溶着が可能なものとなる。
【図面の簡単な説明】
【００３８】
【図１】本発明の防水シート溶着用用具を示す斜視図である。
【図２】（ａ）は本発明の防水シート溶着用用具を示す断面図であり、（ｂ）は本発明の防水シート溶着用用具を示す正面図である。
【図３】本発明の防水シート溶着用用具における柄部と扁平筒状体の嵌合部分を示す拡大断面図である。
【図４】本発明の防水シート溶着用用具を用いた溶着作業方法の実施態様を示す断面図である。
【図５】本発明の防水シート溶着用用具を用いた溶着作業方法の実施態様を示す断面図である。
【図６】従来の防水シート溶着用用具を用いた溶着作業方法の実施態様を示す断面図である。
【図７】従来の防水シート溶着用用具を用いた溶着作業方法の実施態様を示す断面図である。
【符号の説明】
【００３９】
１ 溶着用用具
２ 刷毛
３ 柄部
３ａ 空洞部
３ｂ 先端部
３ｃ 管部
４ 毛束
４ａ 扁平筒状体
４ｂ 流量調製部材
５ 連結管
６ 容器
６ａ 栓部
６ｂ 胴部
６ｃ 管
７ 支持材
８ シーリング材
Ｓ 防水シート
Ｊ シート接合片
ｔ 突起部
【図１】
0004624872.tif 000002
【図２】
0004624872.tif 000003
【図３】
0004624872.tif 000004
【図４】
0004624872.tif 000005
【図５】
0004624872.tif 000006
【図６】
0004624872.tif 000007
【図７】
0004624872.tif 000008